(57)【特許請求の範囲】
【請求項１】
小便用便器（４）と大便用便器（５）とを並列管路で連接し、さらに便所床排水口（３）及び洗顔・手洗器（１０）もその管路に連接させ、その管路の途中にエアレ−ションタンク（８）と円筒型タンクの水質改善装置（９）とを介在させ、エアレ−ションタンク（８）と円筒型タンクの水質改善装置（９）にはブロア（１２）とブロア（１３）をそれぞれ設けて空気の供給を可能とし、円筒型タンクの水質改善装置（９）の長手軸線方向を水平に位置させ、その円筒型タンクの水質改善装置（９）内に水中ポンプ（１３）を設け、その水中ポンプ（１３）から管路を介して中間貯留槽（６）に接続し、その中間貯留槽（６）には有効微生物投入タンク（７）を設け、手洗や水洗便所で使用した水と糞尿が混合された排水は有効微生物との接触により水質が改善され、改善処理された改質水は中間貯留槽（６）に送られてそこに一時貯留され、それを水洗便所に戻すことによる循環式の水洗便所の水の水質改善システムであり、前記円筒型タンクの水質改善装置（９）の前部位置にはハニニコム（１５）を設け、後部位置には遠赤外線セラミック粒子（１７）を収容した篭（１８）を配置し、その下流側に仕切り壁（２０）を設け、前記ハニココム（１５）の上流側にも仕切壁（１９）を設け、それら両仕切壁（１９）、（２０）の間に複数の流速減速パネル（１６）を配設し、遠赤外線セラミック粒子（１７）を収容した遠赤外線セラミック粒子用篭（１８）の下に空気供給管（３５）の出口を位置させてなる水洗便所の水の水質改善システム。
【発明の詳細な説明】
【０００１】
【産業上の利用分野】
本発明は水洗便所の水の水質改善システムに関し、特に水洗便所とブロア付きエアレ−ション装置と有効微生物による水質改善装置と中間貯留槽を連結して、水洗便所で使用した水と糞尿が混合された水洗便所からの排水を有効微生物との接触による水質改善装置に供給し、そこで水質改善をして、再び前記水洗便所に改質水を戻すことにより水洗便所に改質水を循環的に供給しうるようにし、水質改善装置にハニコム層と遠赤外線セラミック層とを配置した水洗便所の水の水質改善システムに関する。
【０００２】
【従来の技術】
従来から水洗便所が使用されてきた。水洗便所の水洗のためには水が適切に供給されねばならない。現在飲料水が水洗便所の水洗のために使用されているが、経済的にも上水以外の中水を水洗便所で利用できれば費用の軽減につながる。
【０００３】
【発明が解決しようとする課題】
比較的多量に使用される水洗便所の水洗に使用した水を、そのまま捨てずに水洗便所の水洗に再利用しようとするものである。
まず、エアレ−ションタンクと円筒型タンクの水質改善装置を経て処理された水を中間貯留槽へ送り、そこに一時的に貯められた処理水を水洗便所に供給して水を再利用することを第１の目的とする。
水質改善装置にハニコム層と遠赤外線セラミック層とを配置して中間貯留槽の有効微生物投入タンクから投入された有効微生物の働きにより水を改質させることを第２の目的とする。
水質改善装置において、ハニコム層と遠赤外線セラミック層の間には流速減速パネルを配設して流速を減速させて滞留時間を長くして有効微生物による水の改質を促進させることを第３の目的とする。
水質改善装置に遠赤外線セラミック粒子を収容した遠赤外線セラミック粒子用篭を配設することにより水の改質を促し、有効微生物の働きをさらに促進させることを第４の目的とする。
水質改善装置はその中心軸を水平方向にして円形断面の中空円筒体にして強度を強化し、その円筒体の下の基礎体の位置からワイヤを介して中空円筒体の周囲に巻回させて中空円筒体をその基礎体に固定することで安定的に設置ができることを第５の目的とする。
中間貯留槽の一側面の上方部に水循環用管路の入口を、他側面の下方部に出口を形成し、オ−バ−フロ−管の出口をその他の側面の上方部に形成し、底部にドレン口を形成したことを第６の目的とする。
【０００４】
【課題を解決するための手段】
本発明は、小便用便器（４）と大便用便器（５）とを並列管路で連接し、さらに便所床排水口（３）及び洗顔・手洗器（１０）もその管路に連接させ、その管路の途中にエアレ−ションタンク（８）と円筒型タンクの水質改善装置（９）とを介在させ、エアレ−ションタンク（８）と円筒型タンクの水質改善装置（９）にはブロア（１２）とブロア（１３）をそれぞれ設けて空気の供給を可能とし、円筒型タンクの水質改善装置（９）の長手軸線方向を水平に位置させ、その円筒型タンクの水質改善装置（９）内に水中ポンプ（１３）を設け、その水中ポンプ（１３）から管路を介して中間貯留槽（６）に接続し、その中間貯留槽（６）には有効微生物投入タンク（７）を設け、手洗や水洗便所で使用した水と糞尿が混合された排水は有効微生物との接触により水質が改善され、改善処理された改質水は中間貯留槽（６）に送られてそこに一時貯留され、それを水洗便所に戻すことによる循環式の水洗便所の水の水質改善システムであり、前記円筒型タンクの水質改善装置（９）の前部位置にはハニニコム（１５）を設け、後部位置には遠赤外線セラミック粒子（１７）を収容した篭（１８）を配置し、その下流側に仕切り壁（２０）を設け、前記ハニココム（１５）の上流側にも仕切壁（１９）を設け、それら両仕切壁（１９）、（２０）の間に複数の流速減速パネル（１６）を配設し、遠赤外線セラミック粒子（１７）を収容した遠赤外線セラミック粒子用篭（１８）の下に空気供給管（３５）の出口を位置させてなる水洗便所の水の水質改善システムである。
【０００５】
【作用】
本発明は、水洗便所４、５と微生物による水質改善装置９と中間貯留槽６とを連結して、水洗便所で使用した水と糞尿が混合された排水を微生物との接触による前記水質改善装置に供給し、そこで水質改善処理して中間貯留槽へ供給し、水質改善処理された水を水洗便所へ供給し得るようにした水洗便所の水の水質改善システムであるから、水洗便所と水質改善装置と中間貯留槽とを連結していることにより、使用する水を外部に出さない状態を維持しながら水洗便所で使用した水を、水洗便所の下流側の水質改善装置で改善処理し、その水質改善装置の下流側の中間貯留槽に改質水を供給し、そこに改質水を一旦貯留して、水洗便所の使用時に所望量の改質水を確実にタイミングを合わせて水洗便所の便器の中に供給し得る。
また、便所床排水口３及び洗顔・手洗器１０からの排水も糞尿と混合されるので混合排水となってともに改質処理され、循環し改質水となって再生される。
小便用便器４と大便用便器５とを並列管路で連接し、その管路の途中にエアレ−ションタンク８と円筒型タンクの水質改善装置９とを介在させて小便用便器４と大便用便器５から流出した排水を有効微生物に接触させて水質を改善し、改質処理された改質水を循環的に使用し得る構造にしている。
エアレ−ションタンク８と円筒型タンクの水質改善装置９にはブロア１２とブロア１３をそれぞれ設けて空気を供給する。特に水質改善装置９のブロア１３は空気供給管３５により遠赤外線セラミック粒子の下からエアブロ−を生じさせるので酸素が供給され、有効微生物が活性化される。
円筒型タンクの水質改善装置９はその長手軸線方向を水平に位置させ、その水質改善装置９内に水中ポンプ１３を設け、その水中ポンプ１３から管路を介して中間貯留槽６と接続したので、循環する改質された水を水中ポンプ１３の働きで中間貯留槽６まで容易に運び得る。
水中ポンプ１３から管路を介して中間貯留槽６に接続し、中間貯留槽６には有効微生物投入タンク７を設けてそこから有効微生物を投入すると、水洗便所の排水とともに有効微生物は水質改善装置９へ流れ、ハニコム１５を棲みかとし、糞尿の有機物を分解する。流速減速パネル１６により水の流れをゆっくりにして有効微生物が糞尿の有機物を分解する時間を長くしてやることができる。
水質改善装置９の後部位置にある遠赤外線セラミック粒子用篭１８に収容された遠赤外線セラミック粒子１７に空気供給管３５によるエアブロ−を与えながら水を通過させることによって酸素が取り入れられ、遠赤外線が放射され、水の分子構造が小さくなり水中の酸素溶存濃度が増加し、水が活性化される。
【０００６】
【実施例１】
図１に示すように、中間貯留槽６からの処理された改質水の管路に小便用便器４と大便用便器５とともに、散水用蛇口１と便所床洗浄用放水口２を連接するので、改質水を便器の水洗に使用するとともに必要に応じて散水用として、或いは便所床の洗浄水として使用できる。
小便用便器４と大便用便器５とを並列管路で連接し、その管路の途中にエアレ−ションタンク８と円筒型タンクの水質改善装置９とを介在させ、エアレ−ションタンク８には、便器からの排水とともに便所床の排水や洗顔及び手洗い器１０からの排水も流入する。
エアレ−ションタンク８と円筒型タンクの水質改善装置９にはブロア１２とブロア１３をそれぞれ設けて空気を供給できるようにする。
円筒型タンクの水質改善装置９の長手軸線方向を水平に位置させ、その水質改善装置９内に水中ポンプ１３を設け、その水中ポンプ１３から管路を介して中間貯留槽６に接続し、その中間貯留槽６には、有効微生物投入タンク７を設けており、そこから有効微生物を投入する。投入された有効微生物は、水洗便所で使用した水と糞尿が混合された排水とともに流れ、エアレ−ションタンク８を通り、それに接続した円筒型タンクの水質改善装置９へ送られ、糞を食べ、ハニコム１５に棲みつき、或いは水の中へ流れ出し循環する。
水洗便所で使用した水と糞尿が混合された排水は、水質改善装置９内で有効微生物との接触により水質の改善処理がなされ、水中ポンプ１３で中間貯留槽６に貯留され、水洗便所の水洗水として、或いは散水用水や便所床洗浄用水として循環し再利用される。
円筒型タンクの水質改善装置９の前部位置にはハニコム１５を設け、その水改善装置９の後部位置に遠赤外線セラミック粒子１７を収容した遠赤外線セラミック粒子用篭１８を配置し、その背後に仕切り壁２０を設け、ハニコム１５の上方にマンホ−ル２１を設け、その下流で円筒型タンクの上面に、マンホ−ル２２を設け、そのさらに後方にマンホ−ル２３を設け、そのマンホ−ル２３の下方位置に遠赤外線セラミック粒子１７を収容した遠赤外線セラミック粒子用篭１８を位置させ、それより後部に、マンホ−ル２４を設け、その下方に電極棒２５を位置させる。
前記ハニコム１５の前部に仕切壁１９を配設し、仕切壁１９、２０の間に流速減速パネル１６を配設し、遠赤外線セラミック粒子１７を収容した遠赤外線セラミック粒子用篭１８の下に空気供給管３５の出口を位置させ、その空気供給管３５の中間位置に空気給管開閉用止め弁３６を設け、前記両仕切壁１９、２０はオ−バ−フロ−壁として機能し、流速減速パネル１６に取りつけた傾斜可能なパネル単位体（図１１）の傾斜を変化させて流速を変え得ることを特徴にしてなる水洗便所の水の水質改善システムである。
【０００７】
【効果】
本発明は、水洗便所と微生物による水質改善装置と中間貯留槽とを連結して、水洗便所で使用した水と糞尿が混合された排水を微生物との接触による水質改善装置に供給し、そこで水質改善処理して中間貯留槽へ供給し、水質改善処理された水をそこから水洗便所へ供給し得るようにした水洗便所の水の水質改善システムであるから、水洗便所と水質改善装置と中間貯留槽とを連結していることにより、使用する水を外部に出さない状態を維持しながら水洗便所で使用した水を、水洗便所の下流側の水質改善装置で有効微生物との接触により水質を改善処理し、その水質改善装置の下流側の中間貯留槽に改質水を供給し、そこに改質水を一旦貯留して、水洗便所の使用時に、所望量の改質水をタイミングを合わせて水洗便所の便器の中に供給し得るとともに、手洗いや便所床の排水も無駄にすることなく循環式に再利用できるので水道水の節約となり経済的に効果がある。
水質改善装置の長手軸線方向を水平に位置させ、円筒型のタンクにしたので外力に対して強度があり、しかも基礎体に固定しているので安定性もある。
本発明では、遠赤外線セラミック粒子を遠赤外線セラミック粒子用篭に入れてその篭の下に空気供給管の出口を位置させたので、遠赤外線セラミック粒子に空気供給管によるエアブロ−を与えながら水を通過させることによって酸素が取り入れられ、遠赤外線が放射され、水の分子構造が小さくなり水中の酸素溶存濃度が増加し、有効微生物による有機物の分解能力を高める効果がある。
【図面の簡単な説明】
【図１】本発明の水洗便所の水の水質改善システムの実施例の流体回路図である。
【図２】図１の水洗便所の水の水質改善装置の要部である水質改善装置の中の構造を分かりやすくするため、上部部分を外して平面図で示した内部構造図である。
【図３】本発明の水洗便所の水の水質改善装置の要部である水質改善装置の中の構造を分かりやすくするため、縦断面図で示した内部構造図である。
【図４】本発明の水洗便所の水の水質改善装置の要部である円筒型タンクの水質改善装置の平面図である。
【図５】本発明の水洗便所の水の水質改善装置の要部である円筒型タンクの水質改善装置の図４のＡ−Ａ線のところでを切断した横断面図である。
【図６】本発明の水洗便所の水の水質改善装置の要部である円筒型タンクの水質改善装置の図４のＢ−Ｂ線のところでを切断した横断面図である。
【図７】本発明の水洗便所の水の水質改善装置の要部である円筒型タンクの水質改善装置の図４のＣ−Ｃ線のところをで切断した横断面図である。
【図８】本発明の水洗便所の水の水質改善装置の要部である円筒型タンクの水質改善システムの中間貯留槽の斜視図である。
【図９】本発明の水洗便所の水の水質改善装置の要部である円筒型タンクの水質改善装置の固定状態を示す図である。
【図１０】本発明の円筒型タンクの水質改善システムの要部である水質改善装置の遠赤外線セラミック粒子を収容する篭の斜視図でである。
【図１１】本発明の水質改善装置の構成部分である流速減速パネルの概念図である。
【符号の説明】
１      散水用蛇口                    ２      便所床洗浄用放水口
３      便所床排水口                  ４      小便用便器
５      大便用便器                    ６      中間貯留槽
７      有効微生物投入タンク          ８      エアレ−ションタンク
９      円筒型タンクの水質改善装置    １０    洗顔及び手洗い器
１１    ブロア                        １２    ブロア
１３    水中ポンプ                    １４    導入管
１５    ハニコム                      １６    流速減速パネル
１７    遠赤外線セラミック粒子        １８    遠赤外線セラミック粒子用篭
１９    仕切り壁                      ２０    仕切り壁
２１    マンホ−ル                    ２２    マンホ−ル
２３    マンホ−ル                    ２４    マンホ−ル
２５    電極棒                        ２６    基礎
２７    水中ポンプからの揚水管        ２８    キャップ
２９    点検口                        ３０    仕切り板
３１    仕切り板                      ３２    仕切り板
３３    ユニオン                      ３４    ユニオン
３５    セラミック活性化用空気供給管  ３６    空気供給管開閉用止め弁
３７    電極棒層入用通孔              ３８    中間貯留槽のオ−バ−フロ−管
３９    中間貯留槽のドレ−ン          ４０    中間貯留槽への流入口
４１    中間貯留槽からの流出口        ４２    円筒型タンクの固定用ワイヤ
４３  遠赤外線セラミック粒子用篭用取手４４    遠赤外線セラミック粒子用篭用小通孔
４５    流速減速パネルの支持部分      ４６    傾斜可能流速減速パネルの単位体
【図１】
0003584380.tif 000002
【図２】
0003584380.tif 000003
【図３】
0003584380.tif 000004
【図４】
0003584380.tif 000005
【図５】
0003584380.tif 000006
【図６】
0003584380.tif 000007
【図７】
0003584380.tif 000008
【図８】
0003584380.tif 000009
【図９】
0003584380.tif 000010
【図１０】
0003584380.tif 000011
【図１１】
0003584380.tif 000012